【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
検索ページの提示要求を受信するステップであって、前記提示要求が対象位置情報を備える、前記ステップ（Ｓ２０１）と；
前記対象位置情報に適合する第１の領域内の第１の条件を満たす検索人気度を有するキーワードを、第１のキーワードとして取得するステップ（Ｓ２０２）と；
前記対象位置情報に適合する第２の領域内の第２の条件を満たす頻度指数を有するサービス提供者の予め設定された情報を第２のキーワードとして取得するステップ（Ｓ２０３）と；
前記第１のキーワード及び前記第２のキーワードを前記検索ページ内に提示するステップ（Ｓ２０４）と；を備える、
キーワード提示方法。
【請求項２】
取得した前記サービス提供者の位置情報に従って、複数の地理グリッドを生成するステップであって、各地理グリッドは１つ又は複数のサービス提供者を含む、前記ステップを更に備え、
前記対象位置情報に適合する第２の領域は、前記対象位置情報が属する地理グリッドを備える、
請求項１に記載のキーワード提示方法。
【請求項３】
前記対象位置情報がどの地理グリッドにも属さない場合には、前記対象位置情報に適合する第２の領域は、前記対象位置情報に近接する１つ又は複数の地理グリッドを備える、
請求項２に記載のキーワード提示方法。
【請求項４】
前記対象位置情報がどの地理グリッドにも属さない場合には、前記対象位置情報に適合する第２の領域は、第１の領域である、
請求項２に記載のキーワード提示方法。
【請求項５】
前記サービス提供者の位置情報に従って、複数の地理グリッドを生成する前記ステップは、ＧｅｏＨａｓｈアルゴリズムを介し、前記サービス提供者の取得した位置情報に従って、前記複数の地理グリッドを生成するステップを備える、
請求項２〜請求項４のいずれか１項に記載のキーワード提示方法。
【請求項６】
ＴＦ‐ＩＤＦアルゴリズムに従って、各サービス提供者の頻度指数を計算するステップを更に備える、
請求項２〜請求項５のいずれか１項に記載のキーワード提示方法。
【請求項７】
前記検索人気度は、予め設定された期間内の検索回数又は検索頻度を備える、
請求項１〜請求項６のいずれか１項に記載のキーワード提示方法。
【請求項８】
前記対象位置情報は、現在の位置情報又はユーザが選択した位置情報を備える、
請求項１〜請求項７のいずれか１項に記載のキーワード提示方法。
【請求項９】
前記第１の領域は、前記対象位置情報が属する地理的領域を備える、
請求項１〜請求項８のいずれか１項に記載のキーワード提示方法。
【請求項１０】
前記対象位置情報が属する領域は、対象位置を含む領域を備える、
請求項２又は請求項９に記載の方法。
【請求項１１】
前記サービス提供者の予め設定された情報は、前記サービス提供者の名前を備える、
請求項１〜請求項１０のいずれか１項に記載の方法。
【請求項１２】
請求項１〜請求項１１のいずれか１項に記載の方法を実行するように構成された複数のユニット（部）を備える、
キーワード提示装置。
【手続補正２】
【補正対象書類名】明細書
【補正対象項目名】００６８
【補正方法】変更
【補正の内容】
【００６８】
上記は、本願の好ましい実施の形態であるが、本願を限定することを意図するものではない。本願の精神および原理の範囲内でなされた任意の修正、均等物の置換、改善などは、本願の保護範囲に含まれるものである。
［第１の局面］
キーワード提示方法であって：
検索ページの提示要求を受信するステップであって、前記提示要求が対象位置情報を含む、受信するステップと；
前記対象位置情報に適合する第１の領域内の第１の条件を満たす検索人気度を有するキーワードを、第１のキーワードとして取得するステップと；
前記第１のキーワードを前記検索ページ内に提示するステップと；を備える、
キーワード提示方法。
［第２の局面］
前記対象位置情報に適合する第２の領域内の第２の条件を満たす頻度指数を有するサービス提供者の予め設定された情報を第２のキーワードとして取得するステップと；
前記第１のキーワード及び前記第２のキーワードを前記検索ページ内に提示するステップと；を更に備える、
第１の局面に記載の方法。
［第３の局面］
取得した前記サービス提供者の位置情報に従って複数の地理グリッドを生成するステップであって、各地理グリッドは１つ又は複数のサービス提供者を含む、生成するステップを更に備え、
前記対象位置情報に適合する前記第２の領域は、前記対象位置情報が属する地理グリッドである、
第２の局面に記載の方法。
［第４の局面］
前記対象位置情報がどの地理グリッドにも属さない場合には、前記対象位置情報に適合する前記第２の領域は：
前記対象位置情報に近接する１つ又は複数の地理グリッドである、
第３の局面に記載の方法。
［第５の局面］
前記対象位置情報がどの地理グリッドにも属さない場合には、前記対象位置情報と適合する前記第２の領域は：
第１の領域である、
第３の局面に記載の方法。
［第６の局面］
前記サービス提供者の位置情報に従って複数の地理グリッドを生成する前記ステップは：
ＧｅｏＨａｓｈアルゴリズムを介し、前記サービス提供者の前記取得した位置情報に従って、前記複数の地理グリッドを生成するステップを備える、
第３の局面に記載の方法。
［第７の局面］
ＴＦ‐ＩＤＦアルゴリズムに従って各サービス提供者の頻度指数を計算するステップを更に備える、
第３の局面に記載の方法。
［第８の局面］
前記検索人気度は、予め設定された期間内の検索回数又は検索頻度である、
第１の局面に記載の方法。
［第９の局面］
前記対象位置情報は、現在の位置情報又はユーザが選択した位置情報である、
第１の局面に記載の方法。
［第１０の局面］
前記第１の領域は、前記対象位置情報が属する地理的領域である、
第１の局面に記載の方法。
［第１１の局面］
キーワード提示装置であって：
検索ページの提示要求を受信するように構成された要求受信部であって、前記提示要求が対象位置情報を含む、要求受信部と；
前記対象位置情報に適合する第１の領域内の第１の条件を満たす検索人気度を有するキーワードを、第１のキーワードとして取得するように構成された第１の取得部と；
前記第１のキーワードを前記検索ページ内に提示するように構成されたページ提示部と；を備える、
キーワード提示装置。
［第１２の局面］
前記対象位置情報に適合する第２の領域内の第２の条件を満たす頻度指数を有するサービス提供者の予め設定された情報を、第２のキーワードとして取得するように構成された第２の取得部を更に備え、
前記ページ提示部は、前記第１のキーワード及び前記第２のキーワードを前記検索ページ内に提示するように更に構成された、
第１１の局面に記載の装置。
［第１３の局面］
前記サービス提供者の取得した位置情報に従って、複数の地理グリッドを生成するように構成されたグリッド生成部であって、各地理グリッドは１つ又は複数のサービス提供者を含む、グリッド生成部を更に備え、
前記対象位置情報に適合する前記第２の領域は、前記対象位置情報が属する地理グリッドである、
第１２の局面に記載の装置。
［第１４の局面］
前記対象位置情報がどの地理グリッドにも属さない場合には、前記対象位置情報に適合する前記第２の領域は：
前記対象位置情報に近接する１つ又は複数の地理グリッドである、
第１３の局面に記載の装置。
［第１５の局面］
前記対象位置情報がどの地理グリッドにも属さない場合には、前記対象位置情報に適合する前記第２の領域は：
前記第１の領域である、
第１３の局面に記載の装置。
［第１６の局面］
前記グリッド生成部は、具体的には、ＧｅｏＨａｓｈアルゴリズムを介し、前記サービス提供者の前記取得した位置情報に従って、前記複数の地理グリッドを生成するように構成された、
第１３の局面に記載の装置。
［第１７の局面］
各サービス提供者の頻度指数をＴＦ‐ＩＤＦアルゴリズムに従って計算するように構成された指数演算部を更に備える、
第１３の局面に記載の装置。
［第１８の局面］
前記検索人気度は、予め設定された期間内における検索回数又は検索頻度である、
第１１の局面に記載の装置。
［第１９の局面］
前記対象位置情報は、現在の位置情報、又は、ユーザが選択した位置情報である、
第１１の局面に記載の装置。
［第２０の局面］
前記第１の領域は、前記対象位置情報が属する地理的領域である、
第１１の局面に記載の装置。